(57)【特許請求の範囲】
【請求項１】
切換え機構により作動される接触子（５２）を有する切換え手段（２）と、該切換え手段に接続された少なくとも１個の電子部品（３２〜３４，４１〜４４）と、前記切換え手段及び前記電子部品に接続されると共に、前記電子部品が配置される印刷回路基板（３１）で前記電子部品を前記切換え手段に接続するよう作用する接続組立体（３）とを具備し、前記接続組立体の前記印刷回路基板は、前記開閉装置内に取り付けられると共に、前記印刷回路基板の少なくとも一位置に曲げ部（３５〜３８）が形成されるように構成され配置される開閉装置において、
可撓性印刷回路基板の形態の前記印刷回路基板は、前記切換え手段の磁石枠の縦方向（７５）に対して横断する方向に延びると共に、前記切換え手段のアーマチュア（１５）及び前記接触子間に配置されていることを特徴とする開閉装置。
【請求項２】
前記開閉装置は、前記切換え手段及び前記接続組立体が内部に配置されるハウジング（７）を具備し、
前記印刷回路基板は、少なくとも部分的位置（７１，７２，７３）で前記切換え手段及び前記ハウジングの間を延びていることを特徴とする請求項１記載の開閉装置。
【請求項３】
前記印刷回路基板は少なくとも部分的に前記ハウジングに当接していることを特徴とする請求項２記載の開閉装置。
【請求項４】
前記印刷回路基板は、枠状に前記切換え手段を少なくとも部分的に取り囲むことを特徴とする請求項１ないし３のうちいずれか１項記載の開閉装置。
【請求項５】
前記印刷回路基板は、複数の曲げ部（３５〜３８）を含むように構成され配置されることを特徴とする請求項１ないし４のうちいずれか１項記載の開閉装置。
【請求項６】
前記印刷回路基板は、該印刷回路基板が約９０°の角度で曲げられる少なくとも１箇所の曲げ部（３５，３６）を含むように構成され配置されることを特徴とする請求項１ないし５のうちいずれか１項記載の開閉装置。
【請求項７】
前記切換え手段は、前記開閉装置のハウジングにより囲まれる基部ユニット（４）内に配置され、
前記印刷回路基板は、前記基部ユニットで前記切換え手段に接続され、前記ハウジングに極めて近接する曲げ部（３７，３８）を前記基部ユニットの外部に具備することを特徴とする請求項１ないし６のうちいずれか１項記載の開閉装置。
【請求項８】
前記印刷回路基板は、２層の外側絶縁材料層（８１，８５）、及び該外側絶縁材料層の間の銅層である金属層（８３）を有する層状組立体からなることを特徴とする請求項１ないし７のうちいずれか１項記載の開閉装置。
【請求項９】
前記電子部品は、前記開閉装置の保護回路（６）又は表示回路（５）である補助電気回路の一部を構成することを特徴とする請求項１ないし８のうちいずれか１項記載の開閉装置。
【請求項１０】
前記切換え手段はリレーからなることを特徴とする請求項１ないし９のうちいずれか１項記載の開閉装置。
【請求項１１】
前記リレーは、前記切換え機構の一部であるコイル（１１）を具備し、
前記印刷回路基板は前記コイルに接続されていることを特徴とする請求項１０記載の開閉装置。
【請求項１２】
前記コイルの外部接続用に、前記切換え手段に第１端子ピン（２１）が設けられ、
前記印刷回路基板の接続用に、前記切換え手段に第２端子ピン（２３）が設けられ、
前記第１及び第２端子ピンは連結されていると共に共通部品として構成されていることを特徴とする請求項１１記載の開閉装置。
【請求項１３】
前記リレーは、前記切換え機構の一部であるコイルを具備し、
前記印刷回路基板は前記コイルの作動電圧供給端子（２１，２２）に接続され、
前記電子部品は前記コイルと並列に接続されていることを特徴とする請求項１０ないし１２のうちいずれか１項記載の開閉装置。
【請求項１４】
前記リレーは、前記切換え機構の一部であるコイルを具備し、
前記リレーは、前記コイルと同軸状のコア（１４）、及びヨーク（１３）を有する前記磁石枠を有し、
前記印刷回路基板は、前記開閉装置のハウジング及び前記磁石枠の間を少なくとも部分的に延びていることを特徴とする請求項１０ないし１３のうちいずれか１項記載の開閉装置。
【請求項１５】
前記リレーは、前記磁石枠（１３，１４）と、前記磁石枠の磁極面（１６）と相互作用すると共に前記接触子に作用する前記アーマチュア（１５）と、結合手段（６１）とを具備し、
前記アーマチュア（１５）は前記結合手段を介して前記接触子に作用し、
前記印刷回路基板は、枠状に前記結合手段を少なくとも部分的に取り囲むことを特徴とする請求項１０ないし１４のうちいずれか１項記載の開閉装置。
【請求項１６】
切換え機構により作動される接触子（５２）を有する切換え手段（２）と、少なくとも１個の電子部品（３２〜３４，４１〜４４）と、該電子部品に接続されると共に前記電子部品を前記切換え手段に接続するよう作用する接続組立体（３）と、前記電子部品が配置される印刷回路基板（３１）とを具備し、前記印刷回路基板は、前記開閉装置内に取り付けられると共に、取付け状態において前記印刷回路基板の少なくとも一位置に曲げ部（３５〜３８）が形成されるように構成され配置される開閉装置（１）用の補助電気回路において、
可撓性印刷回路基板の形態の前記印刷回路基板は、前記切換え手段の磁石枠の縦方向（７５）に対して横断する方向に延びると共に、前記切換え手段のアーマチュア（１５）及び前記接触子間に配置されていることを特徴とする開閉装置用補助電気回路。
【請求項１７】
前記補助電気回路は、前記開閉装置用の電気表示回路（５）及び電気保護回路（６）の一方又は両方の形態をとることを特徴とする請求項１６記載の開閉装置用補助電気回路。
【請求項１８】
前記補助電気回路はモジュール型組立体として構成されていることを特徴とする請求項１６又は１７記載の開閉装置用補助電気回路。
【発明の詳細な説明】
【技術分野】
【０００１】
本発明は、切換え機構により作動される接触子（contact element）を具備する切換え手段（switching device）を有し、切換え手段に接続された少なくとも１個の電子部品を有し、そのために切換え手段及び電子部品に接続された接続組立体が設けられた開閉装置に関する。切換え手段は、特にリレーの形態で構成される。本発明はさらに補助電気回路、特にこの種の開閉装置用の表示回路及び電気保護回路に関する。
【背景技術】
【０００２】
開閉装置、特にリレー等の電気機械的開閉装置の場合、開閉装置の通常の使用で生ずる制限された取付け空間を考慮するために、開閉装置を可能な限り小さく設計することが公知である。リレーの形態の代表的な開閉装置は、切換え機構により作動される接触子を具備する切換え手段を有する。切換え手段は特に、接触子を相手接触子に接触させると共に、切換え工程が保証されるように接触子及び相手接触子間の接触を遮断するよう作用する。リレーは特に、コア、同軸コイル及びヨークを有する磁石枠を具備し、磁石枠は、アーマチュアが相互作用する磁極面を形成する。アーマチュアは例えば結合手段（coupling device）により接触子に連結されるので、アーマチュアは接触子に作用する。
【０００３】
さらに、開閉装置の用途は、この種の切換え手段とは別に、例えば電子部品を有する電気表示回路又は電気保護回路が設けられることが公知である。切換え手段用の電気表示回路は、例えば切換え手段が適正に接続され電圧が供給されているかどうか等の切換え手段の適正な作動を使用する者に知らせるよう作用する。この目的のために電子部品として設けられるのは、例えば、切換え手段が正しく作動する際に点灯する発光ダイオード（ＬＥＤ）である。さらに、開閉装置用の電気保護回路は、例えば交流電圧用の開閉装置の場合に供給電圧の電圧ピークを濾波するために設けてられてもよい。保護回路としてこの目的のために使用される例は、供給電圧の高周波電圧ピークを滑らかにできるＲＣ回路である。
【特許文献１】特開平３−１２７４２４号公報
【特許文献２】米国特許第５５６７９９１号明細書
【発明の開示】
【発明が解決しようとする課題】
【０００４】
この種の補助電気回路が上述のリレー等の開閉装置に設けられる場合、その補助電気回路に開閉装置の作動電圧を供給する必要がある。作動電圧は、例えばリレーの磁石枠を通り過ぎて送給しなければならない例えば絶縁ワイヤを介して供給される。この種のワイヤがリレーの磁石枠を通り過ぎて送給しなければならない場所では、この種のリレーの外寸法を増大させる空間増大の要求が生ずるという問題がある。逆に、例えばスイッチ箱内での通常の使用において、リレーの取付け環境がリレーの外寸法の増大を許容しない場合、開閉装置自体に表示回路又は保護回路を設けることは不可能である。
【０００５】
従って、本発明は、電気表示回路及び電気保護回路の一方又は両方を設けることができ、比較的小さい設計で実現できる開閉装置を提供することを目的とする。さらに、本発明は、対応する補助電気回路を特定することを目的とする。
【課題を解決するための手段】
【０００６】
この目的は、請求項１に従った本発明の開閉装置により達成される。また、本発明は、特に請求項１７に従った電気表示回路及び電気保護回路の一方又は両方の形態であるこの種の開閉装置用の補助電気回路に関連する。
【０００７】
本発明に従った開閉装置は、切換え機構により作動される接触子を有する切換え手段と、切換え手段に接続された電子部品とを具備する。さらに設けられているのは、切換え手段及び電子部品に接続されると共に、電子部品が配置される印刷回路基板で電子部品を切換え手段に接続するよう作用する接続組立体である。これにより接続組立体の印刷回路基板は、開閉装置内に永久的に取り付けられると共に、印刷回路基板の少なくとも一位置に曲げ部が形成されるように構成され配置される。
【０００８】
本発明に従った開閉装置内にこの種の印刷回路基板を取り付けることにより、例えば開閉装置用の補助電気回路の電子部品が所定位置に保持されると共に作動電圧を供給することができるという利点が得られる。この種の印刷回路基板が薄いこと及び絶縁層が薄いことにより、電子部品への作動電圧の供給のための空間増大要求が生じないことも同時に達成できる。このため、比較的小さい設計で例えば表示回路及び保護回路の一方又は両方の形態で補助電気回路を有する開閉装置を実現することが可能である。
【０００９】
比較的簡単且つ正確に合致した形態で開閉装置内に印刷回路基板を導入できるように、一実施形態では可撓性の印刷回路基板が構成される。というのは、この可撓性の結果として、状況に適合するように印刷回路基板の引き続く精確な形成工程、特に曲げ工程が可能であるからである。しかし、印刷回路基板を所望の形状に予め作成し、この形態で開閉装置内に取り付けることも可能である。同様に、引き続く取付け工程のために、可撓性を有する印刷回路基板を予め曲げ加工することも可能である。
【００１０】
切換え手段及び接続組立体が配置されたハウジングを有する開閉装置の場合、印刷回路基板は、少なくとも部分的な位置で特に切換え手段及びハウジングの間に延びている。例えば0.15mm等の印刷回路基板の薄さにより、切換え手段を比較的接近させて収容するハウジングを使用することが可能である。これは、印刷回路基板を少なくとも部分的に開閉装置のハウジングに当接させ、作動電圧の供給のために開閉装置の最も緊密した取付け条件さえも克服することを可能にする程度まで適用することができる。
【００１１】
本発明の別の一実施形態によれば、印刷回路基板は、少なくとも部分的に特に枠の形態で切換え手段を取り囲んでもよい。切換え手段の接触子に作用するアーマチュアと相互作用する磁石枠を有する例えばリレーの形態に開閉装置が構成される場合、印刷回路基板は例えばリレーの磁石枠の周囲に枠状に配置されることができ、設けられる補助電気回路のために空間を最適に利用できるという結果となる。
【００１２】
本発明の別の特徴によれば、例えば印刷回路基板の上述の枠状特性を実現するために、印刷回路基板が複数の曲げ部を有するように、印刷回路基板が構成され配置されてもよい。さらに、印刷回路基板は、印刷回路基板が少なくとも９０°の角度で曲げられる少なくとも１個の曲げ部を含んでもよい。
【００１３】
本発明の一実施形態によれば、開閉装置は電気機械開閉装置として構成され、切換え手段は特にリレーを具備する。
【００１４】
本発明によれば、リレーは、切換え機構の一部であるコイルと、コア、同軸コイル及びヨークを有する磁石枠とを具備し、印刷回路基板は、少なくとも部分的に開閉装置のハウジング及び磁石枠の間を延びている。この構成は、ハウジングの下面に配置されるコイルの例えば作動電圧を、開閉装置のハウジング及び磁石枠の間の磁石枠を通り過ぎて送給できるので、電子部品を例えば磁石枠の上に配置することができる。この結果、電子回路に十分な利用空間を与えた状態で開閉装置のハウジング内の一位置に電子回路を設けることができ、印刷回路基板の補助で、ハウジング内の狭い位置さえも通過して作動電圧を供給することができる。
【００１５】
さらに、本発明によれば、リレーは、磁石枠と、磁石枠の磁極面と相互作用すると共に接触子に作用するアーマチュアとを具備する。リレーは結合手段をさらに具備し、結合手段を介してアーマチュアが接触子に作用する。このため、印刷回路基板が結合手段を少なくとも部分的に、特に枠状に取り囲むよう配置できる。これにより、結合手段の上に部品を配置することができ、印刷回路基板の補助で、磁石枠の両側を通って作動電圧を供給すると共に磁石枠の下の作動電圧に部品を接続することが可能になる。
【００１６】
本発明の有利な構成及び発展形は、従属請求項に記載される。
【発明を実施するための最良の形態】
【００１７】
以下、本発明の実施形態を示す添付図面を参照して本発明を詳細に説明する。
【００１８】
図１ないし図４を参照して、リレー２を有する電気機械的開閉装置１の形状及び作動を詳細に説明する。リレー２は、開閉装置１に補助電気回路５を実装するために、接続組立体３を有する本発明に従った開閉装置１の典型的な一実施形態である。しかし、本発明は原理上、開閉装置１の他の実施形態にも適用可能である。
【００１９】
図１及び図２に加えて、図３及び図４はリレー２の切換え機構をかなり詳細に示すのに対し、図１及び図２は互いに異なる視点から開閉装置１全体を示す。
【００２０】
開閉装置１は、本実施形態の場合、リレー２の形態をとる切換え手段を具備する。リレー２は基部ユニット４内に取り付けられる。コイル１１（図４参照）の端子ピン２１，２２は基部ユニット４を貫通する。リレー２の磁石枠は、コイル１１が設けられたコイル形成体１２を具備する。好適にはヨーク１３に一体的に接続されたコア１４が、コイル形成体１２を貫通する。ヨーク１３はコイル形成体１２の外部に沿って延びる。ヨーク１３に沿って延びているのは、リレー２の切換え接触子を代表するばねコンタクト５２にアーマチュア１５の移動を伝達する結合手段６１である。ヨーク１３は、その自由端の領域に突出部１７を具備する。突出部１７は、コア１４から離れる方向に延びる肉厚領域を有する。肉厚領域は、アーマチュア１５と共に作動空隙を形成する拡大磁極面１６を生じさせる。作動空隙では、アーマチュア１５の拡大した上部が磁極面１６を覆う。アーマチュア１５はコア１４の一端に実装され、コイル形成体１２から突出する。このためにさらに設けられるのは、アーマチュア１５の下領域を磁石枠に向かってコア１４の方向に押圧するアーマチュアばね１８である。このため、アーマチュアばね１８は、コイル形成体１２に固定されるように複数の突出片でコイル形成体１２へ横方向に固定される。
【００２１】
図１及び図２から明白であるように、結合手段６１は、その枠状切欠き６３がアーマチュア１５の上部と係合する。また、結合手段６１には枠状開口６４が形成されている。加えて、基部ユニットに沿って軸方向に結合手段６１を案内するために、横方向案内部材６２が結合手段６１のいずれかの側面に設けられる。結合手段６１の軸方向に沿ってさらに設けられるのは、ばねコンタクト５２と係合してばねコンタクト５２を作動させる延長部６５である。アーマチュア１５は、一方の端面がコイル形成体１２の肩に支持され、他方の端面が結合手段６１の切欠き６３と係合するので、アーマチュア１５が磁極面１６に向かって移動する際に、結合手段６１を介してばねコンタクト５２を作動させる。
【００２２】
図１ないし図４に示されるリレー２は、ばねコンタクト５２の形態の切換え接点と、各々がばねコンタクト５２用の相手接触子として作用する常閉コンタクト５３及び常開コンタクト５１とを有する２極リレーである。常開コンタクト５１は、アーマチュア１５が磁極面１６と当接する際にばねコンタクト５２と接触する。それぞれ互いに連結されている２本の端子ピン２５，２６，２７は、各コンタクト５１，５２，５３が常閉コンタクト５３用に１対の端子ピン２５を有し、切換え接点５２用に１対の端子ピン２６を有し、常開コンタクト５１用に１対の端子ピン２７を有して設けられる。このため、端子ピン２５，２６，２７はそれぞれ、互いに接続される。
【００２３】
ハウジングカバー７の形態のハウジングは、基部ユニット４を含むリレー２を覆う。基部ユニット４内には、上述の切換え機構が収容されている。
【００２４】
リレー２の切換え機構の実現のための上述した電気部品に加えて開閉装置１内に設けられているのは、接続組立体３上の補助電気回路５である。本実施形態において補助電気回路５として設計されているのは、実際のリレー２に対する補助として切換え機構を構築するよう作用し、開閉装置１内に取り付けることができ、開閉装置１の端子を介して供給される、リレー２用の電気回路である。一実施形態において、切換え機構及び負荷回路の起動に関し、この種の補助電気回路５は、切換え動作に関しては主な機能を果たさないが、表示機能又は保護機能等の補助的機能である。
【００２５】
図１及び図２に示される実施形態において、補助電気回路５は電気表示回路の形態をとる。この電気表示回路は、直列抵抗３２で相互接続された発光ダイオード（ＬＥＤ）３３，３４からなる。接続組立体３は、ＬＥＤ３３，３４及び直列抵抗３２の形態の部品が配置された印刷回路基板３１を含む。これにより、印刷回路基板３１は、直列抵抗３２へのＬＥＤ３３，３４の接続と共にこれら部品へのコイル形成体１２からの作動電圧供給に供する。本実施形態において、印刷回路基板３１は、開閉装置１内の複数の位置で曲げられた可撓性印刷回路基板の形態で実現される。
【００２６】
図６は、図１ないし図４に従って取付け用に使用可能である印刷回路基板３１の一実施形態の断面を示す。印刷回路基板３１は、例えばプラスチック材料膜の形態をとり、印刷回路基板３１の外側を形成する２層の外側絶縁材料層８１，８５を有する層状組立体からなる。外側絶縁材料層８１，８５間に配置されているのは、特に銅層の形態である金属層８３である。この金属層８３は、印刷回路基板３１上に配置された電子部品の接続用、及び作動電圧供給用に供される。印刷回路基板３１に設けられているのは、印刷回路基板３１の表面上の電子部品を金属層８３に接続するため、例えば半田パッドの形態をとる、金属層８３への貫通部（図６に図示せず）である。図６に示される実施形態に従った印刷回路基板３１はまた、２層の接着層８２，８４を具備する。外側絶縁材料層８１，８５は、これらの接着層８２，８４を介して金属層８３に接続される。図６に従った印刷回路基板３１の層状組立体は、例えば約0.15mmの厚さを有する。層状組立体は特に柔軟性を有するので、縦方向８６に１８０°の角度で曲げることができ、例えば少なくとも１mmの曲げ半径が接着されなければならない。
【００２７】
特に図３及び図４から明白であるように、コイル１１の巻線に外部作動電圧が供給されるために、端子ピン２１，２２がコイル１１接続用に設けられる。端子ピン２１，２２に対して外側のリレー２上にさらに設けられるのは、第２端子ピン２３である。第２端子ピン２３は、図３に示されるように印刷回路基板３１の接続に供する。図３及び図４は第２端子ピン２３の一方のみを図示しており、この一方の第２端子ピン２３は端子ピン２１に接続されている。組立体の後部に対応して設けられているのは、別の第２端子ピン２３である。この第２端子ピン２３は端子ピン２２に接続されているが、図３及び図４では見えない。第２端子ピン２３は、例えば開閉装置１が製造される際に、磁石枠の縦方向を向くように図３及び図４に示される位置へ後方に曲げられる。第２端子ピン２３の接続点において、金属層８３が第２端子ピン２３に結合、特に半田付けが可能になるように、印刷回路基板３１が露出される。これにより、印刷回路基板３１は第２端子ピン２３の内側に配置される。このようにして、印刷回路基板３１はコイル１１の作動電圧供給部に接続され、端子ピン２１，２３が本発明の実施形態では共通部品として構成される。いずれかの側で第２端子ピン２３への接続に供するのは、上述したように適当に構成された印刷回路基板３１の端部３９である。
【００２８】
端子ピン２１，２２に作動電圧が印加されると、作動電圧がリレー２に生じたことを作業者に知らせるために、極性に依存して単極ＬＥＤ３３，３４の一方が光る。直列抵抗３２はＬＥＤ３３，３４の電流制限に供される。
【００２９】
図５は、本発明に従った開閉装置１に設置するための補助電気回路６を有する接続組立体３の別の実施形態の詳細を示す。補助電気回路６が保護回路の形態をとる第１変形例で直流開閉装置用（直流用途）に設けられるのは、直流保護回路内で開閉装置１のコイル１１に生ずる許容されない高レベルの電圧を防止するよう作用する独立（free-wheeling）ダイオード４３である。さらに、作動電圧を示すために、例えば直列抵抗４１に接続されるＬＥＤ４４を設けてもよい。第２変形例において、補助電気回路６は、交流開閉装置用（交流用途）の保護回路又は表示回路の形態をとる。整流ダイオード４２が、このために設けられ印刷回路基板３１上に配置される。整流ダイオード４２は交流を整流するよう作用し、作動電圧を示すために例えば直列抵抗４１を介して供給することができる。保護回路として設けることができる別の例は、図５には図示されていないＲＣ回路である。この種のＲＣ回路は、特に許容されない高レベルの電圧がコイルで生ずることを防止するよう作用する。
【００３０】
特に図１及び図２に示されるように、印刷回路基板３１は、開閉装置１のハウジングカバー７とリレー２の磁石枠との間に配列される。印刷回路基板３１は、３つの副領域７１，７２，７３で特に枠状に結合手段６１を取り囲む。リレー２の磁石枠の縦方向７５（図３参照）に沿って見ると、印刷回路基板３１は、アーマチュア１５及び接触子５２間に配置されている。このため、印刷回路基板３１は、コイル形成体１２の下側から磁石枠の頂上まで磁石枠の縦方向７５に対して横断する方向に延びており、横の副領域７１，７２でハウジングカバー７に少なくとも部分的に当接することができる。これにより、外側絶縁材料層８１，８５は、必要な絶縁強度がハウジングカバー７の内部に対して存在するように寸法及び形状を有する。
【００３１】
横の副領域７１，７２において、印刷回路基板３１は、磁石枠の縦方向７５に対して横断する方向にリレー２およびハウジングカバー７の間に延びている。副領域７３において、印刷回路基板３１は、リレー２の頂上及び結合手段６１の幅方向側面の双方と平行で、縦方向７５に対して横断する方向に延びている。このため、印刷回路基板３１は、リレー２およびハウジングカバー７の間に配置されており、リレー２を枠状の配置で取り囲む。
【００３２】
本実施形態でハウジングカバー７の内壁に取り付けられると有利なのは、複数の案内部材である。印刷回路基板３１は、ハウジングカバー７を嵌める際にこれら案内部材へ挿入され、位置的矯正位置決めの作用をなす。明確化のために、これら案内部材は図示されていない。
【００３３】
特に図４に示されるように、印刷回路基板３１は複数の曲げ部３５〜３８を含み、約９０°の角度で曲げられた２個の曲げ部３５，３６を具備する。印刷回路基板の端部３９において、印刷回路基板３１は、基部ユニット４（図１及び図２参照）内に配置された第２端子ピン２３に接続される。基部ユニット４は、開閉装置１のハウジングカバー７により囲まれる。これにより、印刷回路基板３１は基部ユニット４内で第２端子ピン２３に接続され、基部ユニット４外で各側に曲げ部３７，３８を具備する。曲げ部３７，３８では、印刷回路基板３１がそれぞれハウジングカバー７に極めて近接する。このため、可撓性印刷回路基板３１上に配置された部品に対する作動電圧の供給が可能になり、リレー（切換え手段）２の横の副領域７１，７２で磁石枠の横に対して占める空間が比較的小さく、開閉装置１の極めて小型の設計が可能になる。補助電気回路５，６の部品３２〜３４（図３参照）及び部品４１〜４４（図５参照）は印刷回路基板３１により所定位置に保持され、印刷回路基板３１を介して作動電圧が直接供給されるので、作動電圧供給のために追加の電線を要しない。その結果、開閉装置１に必要な空間全体が小さくなる。
【００３４】
補助電気回路５，６は、例えば表示回路場合にはＬＥＤモジュール等のモジュール型組立体として好適に構成してもよい。この種のモジュール型組立体は予め形成してもよく、簡単な方法で開閉装置１内のモジュールとして取り付けてもよい。
【図面の簡単な説明】
【００３５】
【図１】本発明の一実施形態に従った開閉装置を示す概略斜視図である。
【図２】図１に示される実施形態に従った開閉装置を示す別の概略斜視図である。
【図３】図１及び図２に示される実施形態に従った開閉装置のリレー及び接続組立体の詳細を示す斜視図である。
【図４】図１及び図２に示される実施形態に従った開閉装置のリレー及び接続組立体を示す分解斜視図である。
【図５】本発明に従った開閉装置用の可撓性印刷回路基板を有する接続組立体の一実施形態の詳細を示す斜視図である。
【図６】本発明に従った可撓性印刷回路基板の一実施形態を部分断面した斜視図である。
【符号の説明】
【００３６】
１                開閉装置
２                切換え手段
３                接続組立体
４                基部ユニット
５                表示回路
６                保護回路
７                ハウジングカバー（ハウジング）
１１              コイル
１３              ヨーク（磁石枠）
１４              コア（磁石枠）
１５              アーマチュア
１６              磁極面
２１              第１端子ピン
２３              第２端子ピン
３１              印刷回路基板
３２              直列抵抗（部品）
３３，３４        ＬＥＤ（部品）
３５〜３８        曲げ部
４１              直列抵抗（部品）
４２              整列ダイオード（部品）
４３              独立ダイオード（部品）
４４              ＬＥＤ（部品）
５２              ばねコンタクト（接触子）
６１              結合手段
７１，７２，７３  副領域（部分的位置）
７５              縦方向
８１，８５        外側絶縁材料層
８３              金属層
【図１】
0004702956.tif 000002
【図２】
0004702956.tif 000003
【図３】
0004702956.tif 000004
【図４】
0004702956.tif 000005
【図５】
0004702956.tif 000006
【図６】
0004702956.tif 000007